(57)【要約】  半導体チップ１２を、基板３０または他の半導体チップ１２である被実装体にボンディングして半導体装置を製造する実装装置であって、前記基板３０が載置されるステージ１２０と、前記ステージ１２０に対して相対移動が可能であり、前記半導体チップ１２を前記被実装体にボンディングする実装ヘッド１２４と、前記ステージを透過するとともに、前記基板３０を加熱する電磁波をステージ１２０の下側から照射する照射ユニット１０８と、を備え、前記ステージ１２０は、上面側に形成された第一層１２２を有し、第一層１２２は、面方向の熱抵抗が厚み方向の熱抵抗よりも大きい。
2018221499.tif 000002
【特許請求の範囲】
【請求項１】
半導体チップを、基板または他の半導体チップである被実装体にボンディングして半導体装置を製造する実装装置であって、
前記基板が直接、または、中間部材を介して載置される第一面と前記第一面と反対側の第二面とを有するステージと、
前記ステージに対して相対移動が可能であり、前記半導体チップを前記被実装体にボンディングする実装ヘッドと、
前記ステージを透過するとともに、前記基板または前記中間部材を加熱する電磁波を前記第二面側から照射する照射ユニットと、
を備え、
前記ステージは、前記第一面側に形成された第一層を有し、
前記第一層は、面方向の熱抵抗が厚み方向の熱抵抗よりも大きい、
ことを特徴とする実装装置。
【請求項２】
請求項１に記載の実装装置であって、
前記基板は、複数の前記半導体チップが熱圧着されるものであり、
前記照射ユニットは、前記第一面における前記電磁波の照射領域、および、前記第一面における前記電磁波の照射位置の少なくとも一方を変更する変更手段を備える、
ことを特徴とする実装装置。
【請求項３】
請求項１に記載の実装装置であって、
前記実装ヘッドは、複数の前記半導体チップが仮圧着された状態で積層された仮積層体を加熱して本圧着するヒータを備え、
前記照射ユニットは、前記ヒータとともに前記仮積層体を加熱する、
ことを特徴とする実装装置。
【請求項４】
請求項１に記載の実装装置であって、
前記ステージは、前記第一層よりも前記第二面側に形成された第二層をさらに有し、
前記第一層は、前記第二層よりも面方向への熱抵抗が大きい、
ことを特徴とする実装装置。
【請求項５】
請求項４に記載の実装装置であって、
前記第二層は、前記第一層よりも、剛性が高い、ことを特徴とする実装装置。
【請求項６】
請求項４または５に記載の実装装置であって、
前記第二層は、前記電磁波が透過可能な材料からなる中実部位であり、
前記第一層は、上面に複数の溝または層内に複数の細孔が形成された部位である、
ことを特徴とする実装装置。
【請求項７】
請求項１から５のいずれか１項に記載の実装装置であって、
前記基板は、シリコンウエハであるとともに、前記ステージに直接、載置され、
前記電磁波は、波長１２００ｎｍ以下であり、
前記基板が、前記電磁波により局所的に加熱される、
ことを特徴とする実装装置。
【請求項８】
請求項１から４のいずれか１項に記載の実装装置であって、
前記基板は、前記中間部材を介して前記ステージに載置され、
前記電磁波は、前記中間部材に吸収されるとともに、前記基板に吸収されない波長を有しており、
前記電磁波により局所的に加熱された前記中間部材からの伝熱により、前記基板が局所的に加熱される、
ことを特徴とする実装装置。
【請求項９】
半導体チップを、基板または他の半導体チップである被実装体にボンディングして半導体装置を製造する半導体装置製造方法であって、
前記基板を直接、または、中間部材を介してステージの第一面に載置する載置工程と、
前記ステージに対して相対移動が可能な実装ヘッドにより、前記半導体チップを前記被実装体にボンディングするボンディング工程と、
前記ボンディング工程の少なくとも一部と並行して、前記ステージを挟んで前記実装ヘッドの反対側に配される照射ユニットから、前記基板または前記中間部材で吸収されるとともに前記ステージを透過する電磁波を照射することで、前記基板または前記中間部材を加熱する基板加熱工程と、
を備え、
前記ステージは、前記第一面側に形成された第一層を有し、
前記第一層は、面方向の熱抵抗が厚み方向の熱抵抗よりも大きい、
ことを特徴とする半導体装置の製造方法。
【請求項１０】
請求項９に記載の半導体装置の製造方法であって、
前記ボンディング工程は、
前記実装ヘッドにより、基板の上に１以上の前記半導体チップを仮圧着しながら積層してなる仮積層体を、前記基板の複数箇所に順番に形成する仮圧着工程と、
前記仮圧着工程の後、一つの仮積層体をその上面から加熱加圧することで、当該仮積層体を構成する１以上の前記半導体チップを一括で本圧着する処理を、前記基板の複数箇所で順番に行う本圧着工程と、
を含み、
前記基板加熱工程は、前記半導体チップを一括で本圧着する処理と並行して、前記基板または前記中間部材のうち前記本圧着実行箇所に対応する箇所に、前記電磁波を照射する、
ことを特徴とする半導体装置の製造方法。
【発明の詳細な説明】
【技術分野】
【０００１】
本明細書は、半導体チップを、基板または他の半導体チップである被実装体にボンディングして半導体装置を製造する実装装置、および、半導体装置の製造方法を開示する。
【背景技術】
【０００２】
半導体チップを、基板または他の半導体チップの上にボンディングする場合、通常、加熱した実装ヘッドで、半導体チップを加熱加圧する。ただし、実装ヘッドからの熱のみで、ボンディング対象となる半導体チップを適切に加熱することは難しい。特に、近年は、半導体装置の更なる高機能化、小型化のために、複数の半導体チップを積層して実装することが提案されている。この場合、実装処理の時間短縮のために、複数の半導体チップを仮圧着しながら積層した後、当該複数の半導体チップを一括で本圧着する場合がある。すなわち、複数の半導体チップを仮圧着状態で積層して仮積層体を形成した後、当該仮積層体の上面を加熱した実装ヘッドで加熱加圧して本圧着する場合がある。かかる場合には、実装ヘッドからの熱のみで、仮積層体の最下層の半導体チップまで適切に加熱することは難しい。そこで、従来から、半導体装置をボンディングする際には、基板が載置されるステージ全体を加熱している。これによれば、半導体チップの上下両側から加熱できる。
【先行技術文献】
【特許文献】
【０００３】
【特許文献１】国際公開第２０１０／０５０２０９号
【特許文献２】特許第３８３３５３１号公報
【特許文献３】特許第４００１３４１号公報
【発明の概要】
【発明が解決しようとする課題】
【０００４】
しかし、ステージ全体を加熱した場合、ボンディング対象（加熱対象）の半導体チップとは異なる箇所に配置された半導体チップも加熱され続けることになる。結果として、半導体チップに、長時間、熱が入力されることになる。こうした長期に亘る熱入力は、半導体チップ、特に半導体チップの底面に設けられた非導電性フィルム（Ｎｏｎ  Ｃｏｎｄｕｃｔｉｖｅ  Ｆｉｌｍ）等の樹脂の劣化を招き、ひいては、実装品質の低下を招く。【０００５】
かかる問題を避けるために、ステージの複数箇所に、パルスヒータ等の局所加熱用のヒータを設けておき、必要な箇所のヒータのみをオンすることも考えられる。しかし、こうした局所加熱用のヒータをステージに埋め込んだ場合、ステージの平坦度を維持することが難しく、ひいては、実装品質の低下を招く。【０００６】
また、特許文献１−３には、ステージの裏側から照射した光により、基板を光加熱する技術が開示されているが、これらは、いずれも、基板を局所的に加熱することについては、十分に、考慮されていない。【０００７】
そこで、本明細書では、ボンディング対象の半導体チップを適切に加熱する一方で、他の半導体チップへの熱入力を抑制できる実装装置、および、半導体装置の製造方法を提供する。
【課題を解決するための手段】
【０００８】
本明細書で開示する実装装置は、半導体チップを、基板または他の半導体チップである被実装体にボンディングして半導体装置を製造する実装装置であって、前記基板が直接、または、中間部材を介して載置される第一面と前記第一面と反対側の第二面とを有するステージと、前記ステージに対して相対移動が可能であり、前記半導体チップを前記被実装体にボンディングする実装ヘッドと、前記ステージを透過するとともに、前記基板または前記中間部材を加熱する電磁波を前記第二面側から照射する照射ユニットと、を備え、前記ステージは、前記第一面側に形成された第一層を有し、前記第一層は、面方向の熱抵抗が厚み方向の熱抵抗よりも大きいことを特徴とする。【０００９】
前記基板は、複数の前記半導体チップが熱圧着されるものであり、前記照射ユニットは、前記第一面における前記電磁波の照射領域、および、前記第一面における前記電磁波の照射位置の少なくとも一方を変更する変更手段を備えてもよい。【００１０】
また、前記実装ヘッドは、複数の前記半導体チップが仮圧着された状態で積層された仮積層体を加熱して本圧着するヒータを備え、前記照射ユニットは、前記ヒータとともに前記仮積層体を加熱してもよい。【００１１】
また、前記ステージは、前記第一層よりも前記第二面側に形成された第二層をさらに有し、前記第一層は、前記第二層よりも面方向への熱抵抗が大きくてもよい。【００１２】
また、前記第二層は、前記第一層よりも、剛性が高くてもよい。【００１３】
また、前記第二層は、前記電磁波が透過可能な材料からなる中実部位であり、前記第一層は、上面に複数の溝または層内に複数の細孔が形成された部位であってもよい。【００１４】
また、前記基板は、シリコンウエハであるとともに、前記ステージに直接、載置され、前記電磁波は、波長１２００ｎｍ以下であり、前記基板が、前記電磁波により局所的に加熱されてもよい。【００１５】
また、前記基板は、前記中間部材を介して前記ステージに載置され、前記電磁波は、前記中間部材に吸収されるとともに、前記基板に吸収されない波長を有しており、前記電磁波により局所的に加熱された前記中間部材からの伝熱により、前記基板が局所的に加熱されてもよい。【００１６】
本明細書で開示する半導体装置の製造方法は、半導体チップを、基板または他の半導体チップである被実装体にボンディングして半導体装置を製造する半導体装置製造方法であって、前記基板を直接、または、中間部材を介してステージの第一面に載置する載置工程と、前記ステージに対して相対移動が可能な実装ヘッドにより、前記半導体チップを前記被実装体にボンディングするボンディング工程と、前記ボンディング工程の少なくとも一部と並行して、前記ステージを挟んで前記実装ヘッドの反対側に配される照射ユニットから、前記基板または前記中間部材で吸収されるとともに前記ステージを透過する電磁波を照射することで、前記基板または前記中間部材を加熱する基板加熱工程と、を備え、前記ステージは、前記第一面側に形成された第一層を有し、前記第一層は、面方向の熱抵抗が厚み方向の熱抵抗よりも大きい、ことを特徴とする。【００１７】
前記ボンディング工程は、前記実装ヘッドにより、基板の上に１以上の前記半導体チップを仮圧着しながら積層してなる仮積層体を、前記基板の複数箇所に順番に形成する仮圧着工程と、前記仮圧着工程の後、一つの仮積層体をその上面から加熱加圧することで、当該仮積層体を構成する１以上の前記半導体チップを一括で本圧着する処理を、前記基板の複数箇所で順番に行う本圧着工程と、を含み、前記基板加熱工程は、前記半導体チップを一括で本圧着する処理と並行して、前記基板または前記中間部材のうち前記本圧着実行箇所に対応する箇所に、前記電磁波を照射してもよい。
【発明の効果】
【００１８】
本明細書で開示する装置および方法によれば、基板が局所的に電磁波で加熱されるため、ボンディング対象の半導体チップを適切に加熱できる。また、ステージの第一層が面方向の熱抵抗が厚み方向の熱抵抗よりも高いため、面方向に離間して配された他の半導体チップへの伝熱が抑制され、ひいては、他の半導体チップへの熱入力が抑制される。
【図面の簡単な説明】
【００１９】
【図１】実装装置の構成を示す図である。
【図２】半導体装置の一例を示す図である。
【図３】基板の一例を示す図である。
【図４】半導体チップの一例を示す図である。
【図５】基板を局所加熱している様子を示す図である。
【図６】図５のＸ部拡大図である。
【図７】ステージの他の一例を示す図である。
【図８】ステージの他の一例を示す図である。
【図９】ステージの他の一例を示す図である。
【図１０】ステージの他の一例を示す図である。
【発明を実施するための形態】
【００２０】
以下、半導体装置の製造方法および実装装置１００について図面を参照して説明する。図１は、実装装置１００の構成を示す図である。この実装装置１００は、基板３０の上に、半導体チップ１２を実装する装置である。この実装装置１００は、複数の半導体チップ１２を積層して実装する場合に特に好適な構成となっている。なお、以下の説明では、複数の半導体チップ１２を積層して成る積層体のうち、積層体を構成する複数の半導体チップ１２が仮圧着状態のものを「仮積層体ＳＴｔ」と呼び、複数の半導体チップ１２が、本圧着状態のものを「チップ積層体ＳＴｃ」と呼び区別する。
【００２１】
実装装置１００は、チップ供給ユニット１０２、チップ搬送ユニット１０４、ボンディングユニット１０６、照射ユニット１０８、および、これらの駆動を制御する制御部１３０と、を備える。チップ供給ユニット１０２は、チップ供給源から半導体チップ１２を取り出し、チップ搬送ユニット１０４に供給する部位である。このチップ供給ユニット１０２は、突上部１１０とダイピッカ１１４と移送ヘッド１１６と、を備えている。
【００２２】
チップ供給ユニット１０２において、複数の半導体チップ１２は、ダイシングテープＴＥ上に載置されている。このとき半導体チップ１２は、バンプ１８が上側を向いたフェイスアップ状態で載置されている。突上部１１０は、この複数の半導体チップ１２の中から一つの半導体チップ１２のみを、フェイスアップ状態のまま、上方に突き上げる。ダイピッカ１１４は、突上部１１０により突き上げられた半導体チップ１２を、その下端で吸引保持して受け取る。半導体チップ１２を受け取ったダイピッカ１１４は、当該半導体チップ１２のバンプ１８が下方を向くように、すなわち、半導体チップ１２がフェイスダウン状態になるように、その場で１８０度回転する。この状態になれば、移送ヘッド１１６が、ダイピッカ１１４から半導体チップ１２を受け取る。
【００２３】
移送ヘッド１１６は、上下および水平方向に移動可能であり、その下端で、半導体チップ１２を吸着保持できる。ダイピッカ１１４が１８０度回転して、半導体チップ１２がフェイスダウン状態となれば、移送ヘッド１１６は、その下端で、当該半導体チップ１２を吸着保持する。その後、移送ヘッド１１６は、水平および上下方向に移動して、チップ搬送ユニット１０４へと移動する。
【００２４】
チップ搬送ユニット１０４は、鉛直な回転軸Ｒａを中心として回転する回転台１１８を有している。移送ヘッド１１６は、回転台１１８の所定位置に、半導体チップ１２を載置する。半導体チップ１２が載置された回転台１１８が回転軸Ｒａを中心として回転することで、当該半導体チップ１２が、チップ供給ユニット１０２と反対側に位置するボンディングユニット１０６に搬送される。
【００２５】
ボンディングユニット１０６は、基板３０を支持するステージ１２０と、半導体チップ１２を基板３０に取り付ける実装ヘッド１２４と、を備えている。ステージ１２０は、基板３０が載置される上面（第一面）と、当該第一面と反対側の下面（第二面）とを有する。また、ステージ１２０は、水平方向に移動可能であり、載置されている基板３０と実装ヘッド１２４との相対位置関係を調整する。ステージ１２０は、後に詳説するように、照射ユニット１０８から照射される電磁波１３４を透過可能な材料で構成されている。また、ステージ１２０は、面方向への熱抵抗が厚み方向の熱抵抗よりも高い第一層と、第一層の下側に配される第二層とを有した多層構造となっているが、これについても後述する。
【００２６】
実装ヘッド１２４は、基板３０に、複数の半導体チップ１２を積層して実装する。実装ヘッド１２４は、その下端に半導体チップ１２を保持でき、また、鉛直な回転軸Ｒｂ回りの回転と、昇降と、が可能となっている。この実装ヘッド１２４は、半導体チップ１２を基板３０または他の半導体チップ１２の上に圧着する。具体的には、保持している半導体チップ１２を基板３０等に押し付けるように、実装ヘッド１２４が、下降することで、半導体チップ１２の仮圧着または本圧着が行われる。この実装ヘッド１２４には、温度可変のヒータ（図示せず）が内蔵されており、実装ヘッド１２４は、仮圧着実行時には、第一温度Ｔ１に、本圧着実行時には、第一温度Ｔ１よりも高い第二温度Ｔ２に加熱される。また、実装ヘッド１２４は、仮圧着実行時には、第一荷重Ｆ１を、本圧着実行時には、第二荷重Ｆ２を、半導体チップ１２に付加する。
【００２７】
実装ヘッド１２４の近傍には、カメラ（図示せず）が設けられている。基板３０および半導体チップ１２には、それぞれ、位置決めの基準となるアライメントマークが付されている。カメラは、このアライメントマークが映るように、基板３０および半導体チップ１２を撮像する。制御部１３０は、この撮像により得られた画像データに基づいて、基板３０および半導体チップ１２の相対位置関係を把握、必要に応じて、実装ヘッド１２４の軸Ｒｂ回りの回転角度およびステージ１２０の水平位置を調整する。
【００２８】
照射ユニット１０８は、ステージ１２０の裏側から特定波長の電磁波１３４を照射することで基板３０を局所的に加熱する。照射ユニット１０８は、少なくとも、電磁波１３４を照射する電磁波源１３２を有している。電磁波１３４は、ステージ１２０を透過しやすく、基板３０に吸収されやすい波長を有していれば特に限定されないが、出力や指向性を考慮すれば、電磁波１３４は、望ましくは、レーザ光である。電磁波源１３２としては、所望の波長、パワーの光を所望のパワーで照射できるのであれば、特に限定されず、例えば、レーザ発振器やＬＤ（Ｌａｓｅｒ  Ｄｉｏｄｅ）、ＬＥＤ、ハロンゲンランプ等を用いることができる。照射ユニット１０８は、さらに、電磁波１３４を、基板３０の特定範囲のみを照射するために、絞りやレンズ、ミラー、光ファイバ等の光学部材や、これら光学部材を駆動して電磁波を走査させる駆動部材等を有してもよい。
【００２９】
制御部１３０は、各部の駆動を制御するもので、例えば、各種演算を行うＣＰＵと、各種データやプログラムを記憶する記憶部と、を備えている。制御部１３０は、記憶部に記憶されたプログラムに従い、各部を駆動して、半導体チップの実装処理を実行する。例えば、制御部１３０は、実装ヘッド１２４およびステージ１２０を駆動して、半導体チップを基板３０に実装させる。また、制御部１３０は、後述する本圧着処理と並行して、照射ユニット１０８を駆動して、基板３０を局所的に加熱させる。
【００３０】
次に、この実装装置１００で製造される半導体装置１０について図３〜図５を参照して説明する。図３は、半導体装置１０の一例を示す模式図、図４は、基板３０の模式図、図５は、半導体チップ１２の模式図である。なお、図３において、半導体チップ１２と基板３０との境界、および、二つの半導体チップ１２の境界における太線は、本圧着されていることを示している。
【００３１】
本例で取り扱う半導体装置１０は、図３に示すように、基板３０の上面に、複数（図示例では４つ）の半導体チップ１２が積層実装されている。また、本例では、基板３０として、シリコンウエハを使用する。したがって、本明細書で開示する実装プロセスは、シリコンウエハの回路形成面に、半導体チップ１２を積層実装する「チップオンウェハプロセス」である。
【００３２】
シリコンウエハである基板３０は、主にシリコンからなり、樹脂やガラスからなる一般的な回路基板に比して、熱伝導率が高い。図２に示すように、基板３０には、格子状に並ぶ複数の実装区画３４が設定されている。各実装区画３４には、複数の半導体チップ１２が積層実装される。実装区画３４は、所定の配置ピッチＰで配設されている。この配置ピッチＰの値は、実装対象の半導体チップ１２のサイズ等に応じて適宜、設定される。また、本実施形態では、実装区画３４を略正方形としているが、適宜、他の形状、例えば略長方形としてもよい。各実装区画３４の表面には、実装される半導体チップ１２のバンプ１８に対応した位置に、電極３６（図３参照）が形成されている。
【００３３】
次に半導体チップ１２の構成について図４に示すように、半導体チップ１２の上下面には、電極端子１４，１６が形成されている。また、半導体チップ１２の片面には、電極端子１４に連なってバンプ１８が形成されている。バンプ１８は、導電性金属からなり、所定の溶融温度Ｔｍで溶融する。
【００３４】
また、半導体チップ１２の片面には、バンプ１８を覆うように、非導電性フィルム（以下「ＮＣＦ」という）２０が貼り付けられている。ＮＣＦ２０は、半導体チップ１２と、基板３０または他の半導体チップ１２とを接着する接着剤として機能するもので、非導電性の熱硬化性樹脂、例えば、ポリイミド樹脂、エポキシ樹脂、アクリル樹脂、フェノキシ樹脂、ポリエーテルスルホン樹脂等からなる。このＮＣＦ２０の厚みは、バンプ１８の平均高さよりも大きく、バンプ１８は、このＮＣＦ２０によりほぼ完全に覆われている。ＮＣＦ２０は、常温下では、固体のフィルムであるが、所定の軟化開始温度Ｔｓを超えると、徐々に、可逆的に軟化して流動性を発揮し、所定の硬化開始温度Ｔｔを超えると、不可逆的に硬化し始める。
【００３５】
ここで、軟化開始温度Ｔｓは、硬化開始温度Ｔｔおよびバンプ１８の溶融温度Ｔｍよりも低い。仮圧着用の第一温度Ｔ１は、この軟化開始温度Ｔｓより高く、溶融温度Ｔｍおよび硬化開始温度Ｔｔよりも低い。また、本圧着用の第二温度Ｔ２は、溶融温度Ｔｍおよび硬化開始温度Ｔｔよりも高い。すなわち、Ｔｓ＜Ｔ１＜（Ｔｍ，Ｔｔ）＜Ｔ２となっている。
【００３６】
半導体チップ１２を基板３０または下側の半導体チップ１２（以下、両者を区別しない場合は「被実装体」と呼ぶ）に仮圧着する際には、実装ヘッド１２４を、第一温度Ｔ１に加熱したうえで半導体チップ１２を加圧する。このとき、半導体チップ１２のＮＣＦ２０は、実装ヘッド１２４からの伝熱により、第一温度Ｔ１近傍まで加熱され、軟化し、流動性を持つ。そして、これにより、ＮＣＦ２０が、半導体チップ１２と被実装体との隙間に流れ込み、当該隙間を確実に埋めることができる。
【００３７】
半導体チップ１２を、被実装体に本圧着する際には、実装ヘッド１２４を、第二温度Ｔ２に加熱したうえで、半導体チップ１２を加圧する。このとき、半導体チップ１２のバンプ１８およびＮＣＦ２０は、実装ヘッド１２４からの伝熱により、第二温度Ｔ２近傍まで加熱される。これにより、バンプ１８は、溶融し、対向する被実装体に溶着できる。また、この加熱により、ＮＣＦ２０が、半導体チップ１２と被実装体との隙間を埋めた状態で硬化するため、半導体チップ１２と被実装体とが強固に固定される。つまり、本圧着の際、半導体チップ１２は、基板３０等に熱圧着される。
【００３８】
ここで、実装ヘッド１２４の温度を、第一温度Ｔ１から第二温度Ｔ２、または、第二温度Ｔ２から第一温度Ｔ１へ切り替えるには、一定の時間がかかる。したがって、半導体装置１０を製造時間を短縮するためには、実装ヘッド１２４の温度の切り替え回数を低減することが有効である。そこで、複数の半導体チップ１２を積層実装する場合には、全ての半導体チップ１２を仮圧着した後に、この仮圧着された半導体チップ１２を本圧着するプロセスが提案されている。具体的には、まず、第一温度Ｔ１に加熱した実装ヘッド１２４を用いて、複数の半導体チップ１２を仮圧着しながら積層して成る仮積層体ＳＴｔを、複数の実装区画３４に形成する。続いて、第二温度Ｔ２に切り替えた実装ヘッド１２４で仮積層体ＳＴｔの上面を加圧し、これにより、仮積層体ＳＴｔを構成する複数の半導体チップ１２を一括で本圧着する。かかる手順で半導体チップ１２を実装していくことで、実装ヘッド１２４の温度の切り替え回数を大幅に低減でき、半導体装置１０の製造時間を大幅に短縮できる。
【００３９】
ところで、これまでの説明で明らかな通り、半導体チップ１２を適切に実装するためには、実装対象の半導体チップ１２が、その処理過程に応じた適切な温度に加熱されることが望まれる。例えば、本圧着を行う際には、半導体チップ１２は、ＮＣＦ２０の硬化開始温度Ｔｔ以上、かつ、バンプ１８の溶融温度Ｔｍ以上に加熱されていなければならない。しかし、実装ヘッド１２４からの熱のみで、全ての半導体チップ１２を適切な温度に加熱することは難しい場合もあった。特に、仮積層体ＳＴｔを構成する複数の半導体チップ１２を一括で本圧着する場合、実装ヘッド１２４からの熱のみでは、最下層の半導体チップ１２を、適切に加熱することは難しかった。
【００４０】
また、一つの仮積層体ＳＴｔにおいて、最上層の半導体チップ１２の温度と最下層の半導体チップ１２の温度差（以下「積層体内温度差」）ΔＴは、小さいことが望まれる。積層体内温度差ΔＴが大きいと、実装品質のバラツキを招くこととなる。しかし、実装ヘッド１２４からの熱のみでは、積層体内温度差ΔＴを小さくすることは難しかった。
【００４１】
そこで、従来は、基板３０が載置されるステージ１２０にヒータを内蔵しておき、基板３０全体も加熱することが多かった。かかる構成によれば、仮積層体ＳＴｔが、下側からも加熱されるため、最下層の半導体チップ１２も、適切な温度に加熱されやすく、また、積層体内温度差ΔＴをある程度小さくできる。
【００４２】
ただし、ステージ１２０全体を加熱する場合、当然ながら、その温度は、ＮＣＦ２０の硬化開始温度Ｔｔよりも十分に低くしなければならない。これは、ステージ１２０の温度が、硬化開始温度Ｔｔより高いと、仮圧着後、本圧着前の半導体チップ１２のＮＣＦ２０が、熱硬化してしまうからである。そのため、ステージ１２０は、あまり高温にすることはできず、積層体内温度差ΔＴを十分に小さくすることは難しかった。
【００４３】
また、ステージ１２０が、硬化開始温度Ｔｔより低温であったとしても、当該ステージ１２０全体が加熱される場合、基板３０上に仮圧着または本圧着された半導体チップ１２には、長時間、熱が入力され続けることになる。こうした長期間に及ぶ熱の入力は、半導体チップ１２、特に、ＮＣＦ２０の劣化、ひいては、実装品質の劣化を招く。
【００４４】
そこで、既述した通り、本明細書で開示する実装装置１００では、ステージ１２０の下側に、照射ユニット１０８を配置し、基板３０を局所的に電磁波１３４で加熱する。図５は、基板３０を局所的に加熱する様子を示すイメージ図である。なお、図５において、三つの実装区画３４を図示しているが、以下の説明では、これらの実装区画３４を、図面左側から順に、「区画Ａ」、「区画Ｂ」、「区画Ｃ」と呼び、区別する。また、図５において、半導体チップ１２と被実装体（基板３０または他の半導体チップ１２）との境界における太線は、本圧着されていることを示し、破線は、仮圧着されていることを示している。したがって、図５において、区画Ａの積層体は、本圧着されたチップ積層体ＳＴｃであり、区画Ｂ，Ｃの積層体は、仮圧着後かつ本圧着前の仮積層体ＳＴｔである。図５は、区画Ｂの仮積層体ＳＴｔを本圧着するときの様子を示している。
【００４５】
図５に示すように、一つの仮積層体ＳＴｔを本圧着する際には、第二温度Ｔ２に加熱された実装ヘッド１２４で、当該仮積層体ＳＴｔを加熱・加圧する。また、基板３０のうち、本圧着対象の仮積層体ＳＴｔが配された区画Ｂに、電磁波１３４を照射し、当該区画Ｂを電磁波１３４で加熱する。
【００４６】
ここで、既述した通り、電磁波１３４は、ステージ１２０を透過しやすく、かつ、基板３０に吸収されやすい波長を有している。本例では、基板３０は、シリコンウエハである。シリコンの透過率は、波長１２００ｎｍを下回ると急激に低下する。したがって、シリコンウエハを基板３０として用いる場合、電磁波１３４の波長は、１２００ｎｍ以下とすることが望ましい。ただし、波長が過度に小さいと、電磁波のエネルギーも低下するため、電磁波１３４の波長は、可視光よりも大きい、すなわち、７５０ｎｍ以上であることが望ましい。
【００４７】
また、ステージ１２０は、電磁波１３４の透過率が高いことが望ましい。また、ステージ１２０は、伝熱性の乏しい材料であることも望まれる。これは、電磁波１３４により加熱された実装区画３４の熱が、ステージ１２０を介して他の実装区画３４に伝熱することを防止するためである。こうした条件を満たすために、ステージ１２０は、例えば、石英やフッ化バリウム、フッ化マグネシウム、フッ化カルシウム等で構成されることが望ましい。
【００４８】
電磁波１３４の照射範囲は、半導体チップ１２の外形とほぼ同範囲であることが望ましい。また、照射ユニット１０８は、所望の範囲のみに電磁波１３４を照射するために、電磁波１３４の照射範囲および照射位置の少なくとも一方を変更する変更手段を有することが望ましい。変更手段の構成としては、種々考えられるが、変更手段は、例えば、ステージ１２０に対する電磁波源１３２の位置を移動させる移動機構を有してもよい。かかる移動機構としては、例えば、ステージ１２０を移動させるＸＹ移動機構が含まれる。また、変更手段は、所望の照射範囲にのみ照射するために、例えば、図５に示すように、照射範囲よりも十分に大径の電磁波１３４の経路途中に設けられ、照射範囲に対応した開口が形成された絞り１３５を有してもよい。この絞り１３５は、対象となる半導体装置に応じて、適宜、交換されてもよい。
【００４９】
また、別の形態として、基板３０近傍において照射範囲よりも十分に小径となる電磁波１３４で、照射範囲を走査してもよい。基板３０近傍において小径の電磁波１３４を得るために、小径の平行電磁波（例えば平行光）を出射する電磁波源１３２を用いてもよいし、光学部材（レンズ等）を用いて大径の電磁波１３４を基板３０周辺で合焦させてもよい。また、電磁波１３４を走査させるために、電磁波源１３２自体を動かしてもよいし、電磁波１３４を屈曲させるミラー等を動かしてもよい。ミラーを動かす形態としては、例えば、２以上のミラーをガルバノモータで駆動させるガルバノミラー機構を用いてもよい。また、ミラーや電磁波源１３２を駆動する機構として、コイルモータやカム等を用いてもよい。
【００５０】
また、別の形態として、所望の照射範囲にのみ照射するために、各種光学部材を用いて、電磁波１３４のプロファイル（サイズ・形等）を変化させてもよい。例えば、幾何学的なビーム成形機能を有した矩形コアファイバを用いてもよい。また、別の形態として、電磁波１３４の経路途中に、筒体の内面に複数のミラーが貼り付けられたカレイドスコープを配してもよい。さらに、上述の光学部材と変えて、または、加えて、回折レンズやフライアレンズ、その他の光学レンズを用いて、電磁波１３４のプロファイルを変化させてもよい。
【００５１】
また、図１では、電磁波源１３２を一つだけ図示しているが、電磁波源１３２は、２以上設けられてもよく、この２以上の電磁波源１３２は、互いに同種の電磁波源でもよいし、互いに異なる種類の電磁波源でもよい。また、電磁波１３４のパワーは、基板３０を所望の時間で、所望の温度まで加熱できることが望ましい。例えば、仮積層体ＳＴｔを一括で本圧着する際には、最下層の半導体チップ１２を、最上層の半導体チップ１２と同じ温度まで加熱することが望まれる。通常、本圧着の実行時間は、数秒であるため、電磁波１３４は、この本圧着の実行中（数秒以内）に基板３０を第二温度Ｔ２近くまで加熱できる程度のパワーを有することが望ましい。
【００５２】
いずれにしても、ステージ１２０を透過しやすく、基板３０に吸収されやすい波長の電磁波１３４を照射することで、基板３０において電磁波１３４が吸収される。そして、吸収された電磁波のエネルギーが熱に変換されることで、基板３０のうち電磁波１３４が照射された範囲のみが局所的に加熱される。そして、基板が局所的に加熱されることで、当該加熱部分（照射部分）の上に位置する半導体チップ１２も加熱される。こうした局所加熱（電磁波１３４の照射）を、本圧着処理を行う実装区画３４にのみ行うことで、最下層の半導体チップ１２も適切に加熱でき、良好な実装品質が得られる。また、本圧着処理を行う実装区画３４に対して局所加熱を行うことで、積層体内温度差ΔＴを低減でき、一つの積層体を構成する複数の半導体チップ１２の実装品質を均一化できる。
【００５３】
その一方で、本圧着処理を行わない実装区画３４には、電磁波１３４を照射しないため、当該実装区域の温度上昇、ひいては、本圧着処理の対象でない半導体チップ１２の熱に起因する劣化や変質を効果的に防止できる。
【００５４】
ただし、本圧着対象の実装区画３４のみを電磁波１３４で加熱した場合、当該実装区画３４で生じた熱の一部は、基板３０や、ステージ１２０を介して、他の実装区画３４へと伝達される。例えば、図５において、区画Ｂのみを電磁波１３４で加熱した場合であっても、当該区画Ｂで生じた熱の一部は、基板３０およびステージ１２０を介して、区画Ａや区画Ｃへと流出する。こうした熱流出は、熱効率の悪化や、本圧着処理の対象でない区画Ａや区画Ｂの半導体チップ１２の熱劣化を招くおそれがある。
【００５５】
そこで、本明細書で開示する実装装置１００では、加熱対象の実装区画以外の実装区画への伝熱を低減するために、ステージ１２０を、上述した通り、伝熱性の乏しい材料、例えば石英等で構成している。さらに、本例では、ステージ１２０を介した面方向へ伝熱を低減するために、ステージ１２０の表面に、複数の溝を形成している。かかる溝を形成することで、面方向に向かう経路途中には複数の空気層（溝部分）が存在することになり、面方向の熱抵抗が高くなる。以下では、ステージ１２０のうち、この溝が形成された部分を「第一層１２２」と呼び、第一層１２２の下側に配される中実部分を「第二層１２３」と呼ぶ。第一層１２２は、その表面に複数の溝が形成されているため、面方向の熱抵抗が、厚み方向の熱抵抗よりも高くなっている。また、第二層１２３は、中実構造であるため、第一層１２２に比べて、面方向への熱抵抗が低い一方で、強度が高く、撓みにくくなっている。
【００５６】
第一層１２２に形成された溝のピッチは、特に限定されないが、例えば、半導体チップ１２の一辺よりも十分に小さく（例えば、溝ピッチは、半導体チップの一辺の１／１０以下等）してもよい。溝のピッチが小さく、溝の数が多くなることで、溝のエッジと基板３０との当接箇所に生じる応力集中を緩和することができ、ひいては、ボンディング（仮圧着、本圧着）を行う際に、半導体チップ１２全体にかかる圧力を均一化できる。また、別の形態として、溝のピッチを、実装区画３４の配置ピッチＰと同じにし、当該溝が、実装区画３４の境界線とほぼ同じ位置に配されるようにしてもよい。換言すれば、半導体チップ１２の真下には、溝が存在せず、面方向に隣接する二つの半導体チップ１２の間にのみ溝が存在するようにしてもよい。かかる構成とすれば、ボンディング（仮圧着、本圧着）を行う際に、半導体チップ１２全体にかかる圧力をより均一化できる。また、この第一層１２２に形成された溝は、載置された基板３０を吸引保持するための吸引機構（図示せず）と連通されてもよい。
【００５７】
このように、ステージ１２０の表層に、面方向の熱抵抗が厚み方向の熱抵抗より高い第一層１２２を設けることにより、当該ステージ１２０を介した面方向への伝熱が効果的に防止できる。これについて、図６を参照して説明する。図６は、図５のＸ部拡大図である。照射ユニット１０８により、区画Ｂのみを電磁波１３４で加熱したとする。この場合、区画Ｂで生じた熱は、上方（半導体チップ１２側）、面方向（区画Ａ，Ｃ側）、下方（ステージ１２０側）へと伝達される。ここで、熱効率を高めるためには、区画Ｂで生じた熱のうち、上方（半導体チップ１２側）に伝達される熱量を増やし、面方向（区画Ａ，Ｃ側）および下方（ステージ１２０側）に伝達される熱量を低減することが望ましい。基板３０が、伝熱性の高いシリコンウエハである場合、面方向（区画Ａ，Ｃ側）への伝熱量を低減することは難しい。一方、本例では、ステージ１２０を断熱性の高い材料で構成し、さらに、その表面に複数の溝を形成して、基板３０との接触面積を低減しているため、下方（ステージ１２０側）への伝熱量は、効果的に低減できる。つまり、ステージ１２０を断熱性の高い材料から構成するとともに、ステージ１２０と基板３０との接触面積を低減することで、照射ユニット１０８で半導体チップ１２を加熱する際の熱効率を向上させることができる。
【００５８】
ただし、ステージ１２０への伝熱量は、少ないとはいえ、ゼロにはできない。ステージ１２０に伝達された熱が、当該ステージ１２０を介して、面方向（区画Ａ，Ｃ側）に伝達されると、加熱対象以外の半導体チップ１２に入力される熱量が増加する。しかし、本例のステージ１２０は、面方向への熱抵抗が高い第一層１２２を有しているため、熱がステージ１２０を介して面方向（区画Ａ，Ｃ側）に伝達されることが効果的に防止される。結果として、加熱対象以外の半導体チップ１２に入力される熱量を低減でき、半導体チップ１２の熱に起因する劣化や変質を防止できる。
【００５９】
ところで、半導体チップ１２をボンディング（仮圧着、本圧着）する際には、実装ヘッド１２４を用いて当該半導体チップ１２に圧力を付与する。ステージ１２０が、面方向熱抵抗が高い第一層１２２のみを有する場合、ボンディングの際に付加される荷重に耐えられず、基板３０の平面度が維持できないおそれがある。そこで、本例では、第一層１２２の下に、第一層１２２よりも剛性の高い第二層１２３を設けている。これにより、大きな荷重が付加された場合でも、撓みにくく、基板３０の平面度を維持できる。
【００６０】
次に、この実装装置１００を用いた半導体装置１０の製造の流れについて説明する。半導体装置１０を製造する場合には、まず、基板３０を、直接、ステージ１２０に載置する載置工程を実行する。続いて、実装ヘッド１２４を用いて、基板３０の上面に、半導体チップ１２をボンディングするボンディング工程を実行する。このボンディング工程は、さらに、仮圧着工程と、本圧着工程と、に大別される。
【００６１】
仮圧着工程では、実装ヘッド１２４は、全ての実装区画３４において、複数の半導体チップ１２を仮圧着しながら積層し、仮積層体ＳＴｔを形成する。具体的には、実装ヘッド１２４は、予め第一温度Ｔ１に加熱しておく。その状態で、まず、ステージ１２０を水平移動させて、一つの実装区画３４を、実装ヘッド１２４の真下に配置する。そして、実装ヘッド１２４は、チップ搬送ユニット１０４で搬送された半導体チップ１２を、その先端吸引保持した後、下降し、当該半導体チップ１２を、被実装体（基板３０または他の半導体チップ１２）の上に載置し、第一荷重Ｆ１で押圧する。これにより、半導体チップ１２のＮＣＦ２０が軟化し、半導体チップ１２が仮圧着される。この仮圧着作業を、複数回繰り返し、一つの実装区画３４に、仮積層体ＳＴｔを形成する。一つの実装区画３４に、仮積層体ＳＴｔが形成できれば、ステージ１２０は、他の実装区画３４が、実装ヘッド１２４の真下に位置するように、水平方向に移動する。そして、再び、実装ヘッド１２４を用いて仮積層体ＳＴｔの形成を行う。以降、同様の処理を、全ての実装区画３４に対して行う。
【００６２】
全ての実装区画３４において、仮積層体ＳＴｔが形成できれば、続いて、本圧着工程を実行する。本圧着工程では、本圧着処理を複数の仮積層体ＳＴｔに対して順番に行う。具体的には、実装ヘッド１２４は、第一温度Ｔ１から第二温度Ｔ２に温度を切り替える。また、その状態で、ステージ１２０を水平移動させて、一つの実装区画３４を、実装ヘッド１２４の真下に配置する。この状態になれば、実装ヘッド１２４は、下降して、一つの仮積層体ＳＴｔの上面を第二荷重Ｆ２で加圧する。これにより、当該一つの仮積層体ＳＴｔを構成する複数の半導体チップ１２が、一括で本圧着される。
【００６３】
ここで、この本圧着処理と並行して、当該一つの仮積層体ＳＴｔが配された実装区画３４を局所的に加熱する基板加熱工程も行う。具体的には、対象となる実装区画３４（実装ヘッド１２４の真下領域）に、電磁波１３４を照射し、当該実装区画３４のみを局所的に加熱する。これにより、対象の実装区画３４の温度が上昇し、当該実装区画の上に配された半導体チップ１２も加熱される。そして、これにより、仮積層体ＳＴｔの上層と下層との温度差（積層体内温度差ΔＴ）が小さい状態で、本圧着処理を行うことができる。結果として、半導体チップ１２の実装品質をより向上できる。
【００６４】
一つの仮積層体ＳＴｔが本圧着されれば、ステージ１２０は、他の実装区画３４が、実装ヘッド１２４の真下に位置するように、水平方向に移動する。そして、再び、実装ヘッド１２４を用いた仮積層体ＳＴｔの加熱加圧と、電磁波１３４による基板３０の局所加熱を行う。そして、同様の処理を、全ての実装区画３４に対して行えば、半導体装置１０の製造処理が終了となる。
【００６５】
以上の説明から明らかな通り、本明細書で開示する半導体装置１０の製造方法によれば、基板３０のうち、加熱対象の半導体チップ１２が載置されている実装区画３４に電磁波１３４を照射することで、当該実装区画３４のみを電磁波１３４で加熱している。これにより、加熱対象の半導体チップ１２を適切に加熱することができる一方で、加熱対象でない半導体チップ１２に、長時間、熱が入力することが防止できる。また、ステージ１２０に、面方向の熱抵抗が厚み方向の熱抵抗よりも高い第一層１２２と、剛性の高い第二層１２３と、を設けることにより、基板３０の平面度が維持されるとともに、ステージ１２０を介して、加熱対象でない半導体チップ１２へ伝熱が低減される。結果として、半導体チップ１２の実装品質をより向上できる。
【００６６】
なお、これまでの説明した構成は、いずれも一例であり、適宜、変更されてもよい。例えば、上述の説明では、基板３０として、シリコンウエハを用いていたが、例えば、シリコンカーバイド（ＳｉＣ）や窒化ガリウム（ＧａＮ）、サファイア等からなるウエハを基板３０として用いてもよい。また、ウエハではなく、樹脂基板やガラス基板等を基板３０として用いてもよい。
【００６７】
ところで、こうした基板、ウエハの中には、電磁波１３４による加熱が困難なものもある。この場合には、基板３０を、ステージ１２０に直接載置するのではなく、ステージ１２０と基板３０との間に、電磁波１３４を吸収する中間部材１４０を配置すればよい。中間部材１４０は、電磁波１３４を吸収しやすい材料からなるのであれば特に限定されない。したがって、中間部材１４０は、図７に示すように、ステージ１２０の上面に配置される略平板状部材でもよい。また、別の形態として、中間部材１４０は、電磁波１３４を吸収する材料から成るのであれば、図８に示すように、ステージ１２０の表面を被覆する被膜（例えば黒体被膜）であってもよい。
【００６８】
いずれにしても、ステージ１２０と基板３０との間に、電磁波１３４を吸収する中間部材１４０を設けることで、基板３０の種類に関わらず、常に、基板３０を、電磁波１３４で加熱することができる。なお、中間部材１４０を設ける場合、ステージ１２０は、第一層１２２を有さない構造であってもよい。例えば、中実ブロック状のステージ１２０の上に、中間部材１４０を載置し、この中間部材１４０の上に、基板３０を載置するようにしてもよい。
【００６９】
また、これまでの説明では、ステージ１２０に設ける第一層１２２を、複数の溝が形成された部位として説明したが、第一層１２２は、面方向の熱抵抗が厚み方向の熱抵抗よりも高いのであれば、他の構成でもよい。例えば、図９に示すように、第一層１２２と第二層１２３は、別部材であってもよい。ただし、この場合でも、第一層１２２および第二層１２３は、いずれも、電磁波１３４を透過しやすいことが望まれる。また、第一層１２２を構成する素材の熱伝導率は、第二層１２３を構成する素材の熱伝導率以下であることが望ましい。したがって、例えば、電磁波１３４の波長が１２００ｎｍ以下であり、第二層１２３が石英からなる場合、第一層１２２は、近赤外線を透過する光学用プラスチック材料で構成してもよい。
【００７０】
また、別の形態として、第一層１２２の面方向の熱抵抗を厚み方向の熱抵抗よりも高めるため、第一層１２２を所定の形状に加工してもよい。なお、ここでの「加工」とはフライス等で材料の一部を除去するような機械加工に限らず、プラスチック射出成型のような成形加工も含む。したがって、例えば、上述したように、第一層１２２は、複数の溝を形成したり、図１０に示すように、層内に孔を形成したりすることで、面方向の熱抵抗を向上させてもよい。この場合、第一層１２２と第二層１２３は、一体化されていてもよいし、別部材であってもよい。
【００７１】
また、上述の説明では、仮積層体ＳＴｔを一括で本圧着する場合にのみ、基板３０を電磁波１３４で加熱しているが、必要であれば、仮圧着時においても、電磁波１３４で加熱してもよい。また、上述の説明では、複数の半導体チップ１２を積層実装する場合のみを例示したが、本明細書で開示の技術は、積層実装しない場合にも、当然に適用できる。
【００７２】
また、上述の説明では、実装ヘッド１２４や照射ユニット１０８を一つとしているが、必要に応じて、これらは、複数設けてもよく、複数箇所で同時、圧着処理や基板３０の電磁波１３４による加熱を行ってもよい。
【符号の説明】
【００７３】
１０  半導体装置、１２  半導体チップ、１４,１６  電極端子、１８  バンプ、３０  基板、３４  実装区画、３６  電極、１００  実装装置、１０２  チップ供給ユニット、１０４  チップ搬送ユニット、１０６  ボンディングユニット、１０８  照射ユニット、１１０  突上部、１１４  ダイピッカ、１１６  移送ヘッド、１１８  回転台、１２０  ステージ、１２２  第一層、１２３  第二層、１２４  実装ヘッド、１３０  制御部、１３２  電磁波源、１３４  電磁波、１４０  中間部材、ＳＴｃ  チップ積層体、ＳＴｔ  仮積層体。
【図１】
2018221499.tif 000003
【図２】
2018221499.tif 000004
【図３】
2018221499.tif 000005
【図４】
2018221499.tif 000006
【図５】
2018221499.tif 000007
【図６】
2018221499.tif 000008
【図７】
2018221499.tif 000009
【図８】
2018221499.tif 000010
【図９】
2018221499.tif 000011
【図１０】
2018221499.tif 000012
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
半導体チップを、基板または他の半導体チップである被実装体にボンディングして半導体装置を製造する実装装置であって、
前記基板が直接、または、中間部材を介して載置される第一面と前記第一面と反対側の第二面とを有するステージと、
前記ステージに対して相対移動が可能であり、前記半導体チップを前記被実装体にボンディングする実装ヘッドと、
前記ステージを透過するとともに、前記基板または前記中間部材を加熱する電磁波を前記第二面側から照射する照射ユニットと、
を備え、
前記実装ヘッドは、
前記基板の上に１以上の前記半導体チップを仮圧着しながら積層してなる仮積層体を、前記基板の複数箇所に順番に形成する仮圧着処理と、
前記仮圧着処理の後、一つの仮積層体をその上面から加熱加圧することで、当該仮積層体を構成する１以上の前記半導体チップを一括で本圧着する処理を、前記基板の複数箇所で順番に行う本圧着処理と、
を実行し、
前記照射ユニットは、前記本圧着処理と並行して、前記基板または前記中間部材のうち前記本圧着実行箇所に対応する箇所に、前記電磁波を照射する、
ことを特徴とする実装装置。
【請求項２】
請求項１に記載の実装装置であって、
前記ステージは、前記第一面側に形成された第一層を有し、
前記第一層は、面方向の熱抵抗が厚み方向の熱抵抗よりも大きい、
ことを特徴とする実装装置。
【請求項３】
請求項２に記載の実装装置であって、
前記基板は、複数の前記半導体チップが熱圧着されるものであり、
前記照射ユニットは、前記第一面における前記電磁波の照射領域、および、前記第一面における前記電磁波の照射位置の少なくとも一方を変更する変更手段を備える、
ことを特徴とする実装装置。
【請求項４】
請求項２に記載の実装装置であって、
前記ステージは、前記第一層よりも前記第二面側に形成された第二層をさらに有し、
前記第一層は、前記第二層よりも面方向への熱抵抗が大きい、
ことを特徴とする実装装置。
【請求項５】
請求項４に記載の実装装置であって、
前記第二層は、前記第一層よりも、剛性が高い、ことを特徴とする実装装置。
【請求項６】
請求項４または５に記載の実装装置であって、
前記第二層は、前記電磁波が透過可能な材料からなる中実部位であり、
前記第一層は、上面に複数の溝または層内に複数の細孔が形成された部位である、
ことを特徴とする実装装置。
【請求項７】
請求項１から５のいずれか１項に記載の実装装置であって、
前記基板は、シリコンウエハであるとともに、前記ステージに直接、載置され、
前記電磁波は、波長１２００ｎｍ以下であり、
前記基板が、前記電磁波により局所的に加熱される、
ことを特徴とする実装装置。
【請求項８】
請求項１から４のいずれか１項に記載の実装装置であって、
前記基板は、前記中間部材を介して前記ステージに載置され、
前記電磁波は、前記中間部材に吸収されるとともに、前記基板に吸収されない波長を有しており、
前記電磁波により局所的に加熱された前記中間部材からの伝熱により、前記基板が局所的に加熱される、
ことを特徴とする実装装置。
【請求項９】
半導体チップを、基板または他の半導体チップである被実装体にボンディングして半導体装置を製造する半導体装置製造方法であって、
前記基板を直接、または、中間部材を介してステージの第一面に載置する載置工程と、
前記ステージに対して相対移動が可能な実装ヘッドにより、前記半導体チップを前記被実装体にボンディングするボンディング工程と、
前記ボンディング工程の少なくとも一部と並行して、前記ステージを挟んで前記実装ヘッドの反対側に配される照射ユニットから、前記基板または前記中間部材で吸収されるとともに前記ステージを透過する電磁波を照射することで、前記基板または前記中間部材を加熱する基板加熱工程と、
を備え、
前記ボンディング工程は、
前記実装ヘッドにより、基板の上に１以上の前記半導体チップを仮圧着しながら積層してなる仮積層体を、前記基板の複数箇所に順番に形成する仮圧着工程と、
前記仮圧着工程の後、一つの仮積層体をその上面から加熱加圧することで、当該仮積層体を構成する１以上の前記半導体チップを一括で本圧着する処理を、前記基板の複数箇所で順番に行う本圧着工程と、
を含み、
前記基板加熱工程は、前記半導体チップを一括で本圧着する処理と並行して、前記基板または前記中間部材のうち前記本圧着実行箇所に対応する箇所に、前記電磁波を照射する、
ことを特徴とする半導体装置の製造方法。
【請求項１０】
請求項９に記載の半導体装置の製造方法であって、
前記ステージは、前記第一面側に形成された第一層を有し、
前記第一層は、面方向の熱抵抗が厚み方向の熱抵抗よりも大きい、
ことを特徴とする半導体装置の製造方法。
【国際調査報告】
2018221499.tif 000013
2018221499.tif 000014